【手続補正書】
【提出日】平成22年6月18日(2010.6.18)
【手続補正１】
【補正対象書類名】特許請求の範囲
【補正対象項目名】全文
【補正方法】変更
【補正の内容】
【特許請求の範囲】
【請求項１】
第１のヌクレオシドで官能基化された第１のポリマーと、
第２のヌクレオシドで官能基化された第２のポリマーと
を含む生体適合性マクロマー組成物であって、該第１のポリマーおよび／または該第２のポリマーのポリマーが、炭化水素、ポリアルキレンオキシド、ポリサッカライド、脂肪族エステル、オルトエステル、ウレタン、エーテル、アミド、フェノール類、重合薬から選択されるポリマーを含み；
該第１のヌクレオシドおよび該第２のヌクレオシドは塩基対形成し；該組成物は、接着剤、シーラント、または遺伝子送達デバイスとして作用する生体適合性マクロマー組成物。
【請求項２】
前記第１のポリマーがオリゴヌクレオチドを含むか；または前記第２のポリマーがオリゴヌクレオチドを含むか；または前記第１のポリマーがポリヌクレオチドを含むか；または前記第２のポリマーがポリヌクレオチドを含み；または、前記第１のポリマー、および場合によって前記第２のポリマーの分子量が、約１×１０３ｇ／ｍｏｌから約１×１０６ｇ／ｍｏｌであるか；または前記第１のポリマー、および場合によって前記第２のポリマーの分子量が、約１×１０４ｇ／ｍｏｌから約１×１０５ｇ／ｍｏｌである、請求項１に記載の生体適合性マクロマー組成物。
【請求項３】
前記第１のポリマーが、酸、アミン、スルホン、イソシアネート、ヒドロキシル基、ビニル基、エステル、およびその組合せからなる群から選択される第１の官能基をさらに含み、そして前記第２のポリマーが、該第１の官能基と架橋された第２の官能基をさらに含み；あるいは前記第１のポリマー、および場合によって前記第２のポリマーが、α−ヒドロキシ酸、エステル、ラクトン、カーボネート、エステルエーテル、二酸、およびその組合せからなる群から選択される生体吸収性基をさらに含む、請求項１に記載の生体適合性マクロマー組成物。
【請求項４】
前記第１のポリマー、および場合によって前記第２のポリマーが、乳酸、グリコール酸、ラクチド、グリコリド、ε−カプロラクトン、トリメチレンカーボネート、１，４−ジオキサン−２−オン、１，３−ジオキサン−２−オン、コハク酸、アジピン酸、セバシン酸、マロン酸、グルタル酸、およびその組合せからなる群から選択される生体吸収性基をさらに含む、請求項１に記載の生体適合性マクロマー組成物。
【請求項５】
前記第１のポリマーが、合成マクロマー組成物の約１０重量％から約９０重量％の量で存在する、請求項１に記載の生体適合性マクロマー組成物。
【請求項６】
前記第２のポリマーが、合成マクロマー組成物の約９０重量％から約１０重量％の量で存在する、請求項１に記載の生体適合性マクロマー組成物。
【請求項７】
前記第１のポリマー、および場合によって前記第２のポリマーが、酵素的に分解可能な成分と組み合わされる、請求項１に記載の生体適合性マクロマー組成物。
【請求項８】
請求項１に記載の生体適合性マクロマー組成物を含む、創傷閉鎖用の接着剤。
【請求項９】
請求項１に記載の生体適合性マクロマー組成物を含む、医療用途で使用するためのシーラント。
【請求項１０】
創傷を閉鎖するための方法における使用のための、請求項１に記載の生体適合性マクロマー組成物であって；該方法が
該創傷に請求項１に記載の生体適合性マクロマー組成物を適用するステップと、
該生体適合性マクロマー組成物を硬化させ、それによって該創傷を閉鎖するステップと
を含む方法であることを特徴とする、生体適合性マクロマー組成物。
【請求項１１】
前記創傷が外科的切開部である、請求項１０に記載の生体適合性マクロマー組成物。
【請求項１２】
動物組織中の空隙を満たすための方法における使用のための、請求項１に記載の生体適合性マクロマー組成物であって；該方法が
請求項１に記載の生体適合性マクロマー組成物を該空隙に適用するステップと、
該生体適合性マクロマー組成物を硬化させ、それによって該空隙を満たすステップと
を含む方法であることを特徴とする、生体適合性マクロマー組成物。
【請求項１３】
動物組織の表面に医療デバイスを接着させるための方法における使用のための生体適合性マクロマー組成物であって；該方法が
請求項１に記載の生体適合性マクロマー組成物を、該デバイス、該表面、または両方に適用するステップと、
該デバイス、生体適合性マクロマー組成物および表面を互いに接触させるステップと、
該生体適合性マクロマー組成物を硬化させ、それによって該デバイスおよび表面を互いに接着させるステップと
を含む方法であることを特徴とする、生体適合性マクロマー組成物。
【請求項１４】
前記医療デバイスがインプラントである、請求項１３に記載の生体適合性マクロマー組成物。
【請求項１５】
遺伝子を送達するための方法における使用のための生体適合性マクロマー組成物であって；該方法が
請求項１に記載の生体適合性マクロマー組成物を動物に投与するステップと、
該生体適合性マクロマー組成物を硬化させ、それによってゲルを形成するステップと、
該生体適合性マクロマー組成物をｉｎ  ｖｉｖｏで分解させるステップであり、該生体適合性マクロマー組成物の分解により、該動物に遺伝子を送達するステップと
を含む方法であることを特徴とする、生体適合性マクロマー組成物。
【手続補正２】
【補正対象書類名】明細書
【補正対象項目名】００１３
【補正方法】変更
【補正の内容】
【００１３】
他の実施形態では、本開示は、本開示の生体適合性マクロマー組成物を動物に投与するステップと、この生体適合性マクロマー組成物を硬化させ、それによってゲルを形成するステップと、この生体適合性マクロマー組成物をｉｎ  ｖｉｖｏで分解させるステップであり、この生体適合性マクロマー組成物の分解により、動物に遺伝子を送達するステップとによって、遺伝子を送達するための方法を提供する。
本発明はまた、以下の項目を提供する。
（項目１）
第１のヌクレオシドを含む第１のポリマーと、
第２のヌクレオシドを含む第２のポリマーと
を含む生体適合性マクロマー組成物であって、上記第１のヌクレオシドおよび上記第２のヌクレオシドは塩基対形成し、上記組成物は、接着剤、シーラント、または遺伝子送達デバイスとして作用する生体適合性マクロマー組成物。
（項目２）
上記第１のポリマーがオリゴヌクレオチドを含む、項目１に記載の生体適合性マクロマー組成物。
（項目３）
上記第２のポリマーがオリゴヌクレオチドを含む、項目１に記載の生体適合性マクロマー組成物。
（項目４）
上記第１のポリマーがポリヌクレオチドを含む、項目１に記載の生体適合性マクロマー組成物。
（項目５）
上記第２のポリマーがポリヌクレオチドを含む、項目１に記載の生体適合性マクロマー組成物。
（項目６）
上記第１のポリマー、および場合によって上記第２のポリマーの分子量が、約１×１０３ｇ／ｍｏｌから約１×１０６ｇ／ｍｏｌである、項目１に記載の生体適合性マクロマー組成物。
（項目７）
上記第１のポリマー、および場合によって上記第２のポリマーの分子量が、約１×１０４ｇ／ｍｏｌから約１×１０５ｇ／ｍｏｌである、項目１に記載の生体適合性マクロマー組成物。
（項目８）
上記第１のポリマーが、ポリアルキレンオキシド、ポリサッカライド、エステル、脂肪族エステル、オルトエステル、リン酸エステル、カーボネート、ウレタン、エーテル、アミド、フェノール類、およびその組合せからなる群から選択されるポリマーをさらに含む、項目１に記載の生体適合性マクロマー組成物。
（項目９）
上記第２のポリマーが、ポリアルキレンオキシド、ポリサッカライド、エステル、脂肪族エステル、オルトエステル、リン酸エステル、カーボネート、ウレタン、エーテル、アミド、フェノール類、およびその組合せからなる群から選択されるポリマーをさらに含む、項目１に記載の生体適合性マクロマー組成物。
（項目１０）
上記第１のポリマーが、酸、アミン、スルホン、イソシアネート、ヒドロキシル基、ビニル基、エステル、およびその組合せからなる群から選択される第１の官能基をさらに含み、上記第２のポリマーが、上記第１の官能基と架橋された第２の官能基をさらに含む、項目１に記載の生体適合性マクロマー組成物。
（項目１１）
上記第１のポリマー、および場合によって上記第２のポリマーが、α−ヒドロキシ酸、エステル、ラクトン、カーボネート、エステルエーテル、二酸、およびその組合せからなる群から選択される生体吸収性基をさらに含む、項目１に記載の生体適合性マクロマー組成物。
（項目１２）
上記第１のポリマー、および場合によって上記第２のポリマーが、乳酸、グリコール酸、ラクチド、グリコリド、ε−カプロラクトン、トリメチレンカーボネート、１，４−ジオキサン−２−オン、１，３−ジオキサン−２−オン、コハク酸、アジピン酸、セバシン酸、マロン酸、グルタル酸、およびその組合せからなる群から選択される生体吸収性基をさらに含む、項目１に記載の生体適合性マクロマー組成物。
（項目１３）
上記第１のポリマーが、合成マクロマー組成物の約１０重量％から約９０重量％の量で存在する、項目１に記載の生体適合性マクロマー組成物。
（項目１４）
上記第２のポリマーが、合成マクロマー組成物の約９０重量％から約１０重量％の量で存在する、項目１に記載の生体適合性マクロマー組成物。
（項目１５）
上記第１のポリマー、および場合によって上記第２のポリマーが、酵素的に分解可能な成分と混合される、項目１に記載の生体適合性マクロマー組成物。
（項目１６）
項目１に記載の生体適合性マクロマー組成物を含む、創傷閉鎖用の接着剤。
（項目１７）
項目１に記載の生体適合性マクロマー組成物を含む、医療用途で使用するためのシーラント。
（項目１８）
創傷を閉鎖するための方法であって、
上記創傷に項目１に記載の生体適合性マクロマー組成物を適用するステップと、
上記生体適合性マクロマー組成物を硬化させ、それによって上記創傷を閉鎖するステップと
を含む方法。
（項目１９）
上記創傷が外科的切開部である、項目１８に記載の方法。
（項目２０）
動物組織中の空隙を満たすための方法であって、
項目１に記載の生体適合性マクロマー組成物を上記空隙に適用するステップと、
上記生体適合性マクロマー組成物を硬化させ、それによって上記空隙を満たすステップと
を含む方法。
（項目２１）
動物組織の表面に医療デバイスを接着させるための方法であって、
項目１に記載の生体適合性マクロマー組成物を、上記デバイス、上記表面、または両方に適用するステップと、
上記デバイス、生体適合性マクロマー組成物および表面を互いに接触させるステップと、
上記生体適合性マクロマー組成物を硬化させ、それによって上記デバイスおよび表面を互いに接着させるステップと
を含む方法。
（項目２２）
上記医療デバイスがインプラントである、項目２１に記載の方法。
（項目２３）
遺伝子を送達するための方法であって、
項目１に記載の生体適合性マクロマー組成物を動物に投与するステップと、
上記生体適合性マクロマー組成物を硬化させ、それによってゲルを形成するステップと、
上記生体適合性マクロマー組成物をｉｎ  ｖｉｖｏで分解させるステップであり、上記生体適合性マクロマー組成物の分解により、上記動物に遺伝子を送達するステップと
を含む方法。